(57)【要約】【課題】従来のリプレイ機能を有するテレビジョン受像機では、ユーザの所望するシーン等のアーカイブを構築したり、これを外部に持ち出すことができなかった。【解決手段】表示手段に表示されている映像の映像データを順次更新しながら一時記憶し、所定の第１の外部操作に応じて、記憶手段に記憶保持された映像データを所定の外部記憶媒体に書き込み、所定の第２の外部操作に応じて、外部記憶媒体に書き込んだ映像データを読み出し、外部記憶媒体から読み出された映像データに基づく映像を表示手段に表示させるようにした。【選択図】        図３
2004320215.tif 000002
【特許請求の範囲】
【請求項１】
映像を表示する表示手段と、
上記表示手段に表示されている上記映像の映像データを順次更新しながら一時記憶する記憶手段と、
所定の第１の外部操作に応じて、上記記憶手段に記憶された上記映像データを所定の外部記憶媒体に書き込むと共に、所定の第２の外部操作に応じて、上記外部記憶媒体に書き込んだ上記映像データを読み出す読書き手段と、
上記読書き手段により上記外部記憶媒体から読み出された上記映像データに基づく映像を上記表示手段に表示させる表示制御手段と
を具えることを特徴とする映像表示装置。
【請求項２】
上記記憶手段は、
上記映像データを、所定の圧縮フォーマットにより圧縮して記憶する
ことを特徴とする請求項１に記載の映像表示装置。
【請求項３】
上記読書き手段は、
上記記憶手段に記憶された上記映像データを、所定の著作権保護方式に準拠した通信方式で上記外部記憶媒体に送信し、及び又は上記著作権保護方式に準拠したフォーマットで上記外部記憶媒体に書き込む
ことを特徴とする請求項１に記載の映像表示装置。
【請求項４】
上記読書き手段は、
上記外部記憶媒体に書き込まれた上記映像データを、上記第２の外部操作に応じた読出しモードで読み出す
ことを特徴とする請求項１に記載の映像表示装置。
【請求項５】
上記表示制御手段は、
上記記憶手段に記憶される上記映像データに基づく第１の上記映像と、上記外部記憶媒体から読み出した上記映像データに基づく第２の上記映像とを上記表示手段に表示させる
ことを特徴とする請求項１に記載の映像表示装置。
【請求項６】
表示手段に表示されている上記映像の映像データを順次更新しながら一時記憶する第１のステップと、
所定の第１の外部操作に応じて、上記記憶手段に記憶保持された上記映像データを所定の外部記憶媒体に書き込む第２のステップと、
所定の第２の外部操作に応じて、上記外部記憶媒体に書き込んだ上記映像データを読み出す第３のステップと、
上記外部記憶媒体から読み出された上記映像データに基づく映像を上記表示手段に表示させる第４のステップと
を具えることを特徴とする映像表示方法。
【請求項７】
上記第１のステップでは、
上記映像データを、所定の圧縮フォーマットにより圧縮して記憶する
ことを特徴とする請求項６に記載の映像表示方法。
【請求項８】
上記第２のステップでは、
記憶した上記映像データを、所定の著作権保護方式に準拠した通信方式で上記外部記憶媒体に送信し、及び又は上記著作権保護方式に準拠したフォーマットで上記外部記憶媒体に書き込む
ことを特徴とする請求項６に記載の映像表示方法。
【請求項９】
上記第３のステップでは、
上記外部記憶媒体に書き込まれた上記映像データを、上記第２の外部操作に応じた読出しモードで読み出す
ことを特徴とする請求項５に記載の映像表示方法。
【請求項１０】
上記第４のステップでは、
記憶する上記映像データに基づく第１の上記映像と、上記外部記憶媒体から読み出した上記映像データに基づく第２の上記映像とを上記表示手段に表示させる
ことを特徴とする請求項６に記載の映像表示方法。
【発明の詳細な説明】
【０００１】
【発明の属する技術分野】
本発明は、映像表示装置及び方法に関し、例えばテレビジョン受像機に適用して好適なものである。
【０００２】
【従来の技術】
近年、テレビジョン受像機として、ユーザが視聴しているチャンネルの映像データを圧縮符号化して内蔵メモリに順次蓄える一方、ユーザからの再生指示に応じて当該映像データを内蔵メモリから読み出し、復号してモニタ表示し得るようになされたものが提案されている（例えば特許文献１参照）。
【０００３】
これによりこの種のテレビジョン受像機においては、テレビジョン放送の視聴時に見逃したシーンや、気に入ったシーンを少し前に遡って視聴することができるようになされている。なお、以下においては、このようにリアルタイムで表示される映像の時間的に前の映像を表示することをリプレイ表示と呼ぶものとする。
【０００４】
【特許文献１】
特開平８−２３７５９２号公報
【０００５】
【発明が解決しようとする課題】
しかしながら、かかる従来のテレビジョン受像機は、内蔵メモリに蓄積された映像データに基づく例えば十秒程度の映像をリプレイ表示するだけで、かかる映像データを蓄積して好みのシーンのアーカイブを構築したり、外部に取り出すことができない問題があった。
【０００６】
またかかるテレビジョン受像機においては、内蔵メモリに蓄積された映像データに基づく例えば十秒程度の映像を単にリプレイ表示するだけで、当該十秒程度の映像の中からさらにユーザが所望するシーンを自在に検索することはできない問題があった。
【０００７】
従って、このようなリプレイ機能を有するテレビジョン受像機において、ユーザの所望するシーンのアーカイブを構築したり、当該構築したアーカイブのデータを外部に取り出せたり、又はリプレイ表示される映像の中からユーザが所望するシーンを自在に検索することができれば、その機能性を格段的に向上させ得るものと考えられる。
【０００８】
本発明は以上の点を考慮してなされたもので、機能性を格段的に向上させ得る映像表示装置及び方法を提案しようとするものである。
【０００９】
【課題を解決するための手段】
かかる課題を解決するため本発明においては、映像表示装置において、表示手段に表示されている映像の映像データを順次更新しながら一時記憶する記憶手段と、所定の第１の外部操作に応じて、記憶手段に記憶された映像データを所定の外部記憶媒体に書き込むと共に、所定の第２の外部操作に応じて、外部記憶媒体に書き込んだ映像データを読み出す読書き手段と、読書き手段により外部記憶媒体から読み出された映像データに基づく映像を表示手段に表示させる表示制御手段とを設けるようにした。
【００１０】
この結果この映像表示装置では、表示手段に表示される映像の中からユーザの所望するシーン等の映像データを外部記憶媒体に蓄積させることができ、さらにこの蓄積された映像データを当該映像表示装置から外部に持ち出すことができる。
【００１１】
また本発明においては、映像表示方法において、表示手段に表示されている映像の映像データを順次更新しながら一時記憶する第１のステップと、所定の第１の外部操作に応じて、記憶手段に記憶保持された映像データを所定の外部記憶媒体に書き込む第２のステップと、所定の第２の外部操作に応じて、外部記憶媒体に書き込んだ映像データを読み出す第３のステップと、外部記憶媒体から読み出された映像データに基づく映像を表示手段に表示させる第４のステップとを設けるようにした。
【００１２】
この結果この映像表示方法によれば、表示手段に表示される映像の中からユーザの所望するシーン等の映像データを外部記憶媒体に蓄積させることができ、さらにこの蓄積された映像データを自在に外部に持ち出すことができる。
【００１３】
【発明の実施の形態】
以下図面について、本発明の一実施の形態を詳述する。
【００１４】
（１）本実施の形態によるテレビジョン受像機の構成
図１において、１は全体として本実施の形態によるテレビジョン受像機を示し、ユーザ操作によりリモートコントローラ２から出力される赤外線信号Ｓ１をリモコン受光部３において受光し、当該受光結果に基づきリモコン受光部３から出力される入力受信信号Ｓ２に応じてマイクロコンピュータ構成の制御部４が各種制御を行うことにより、指定されたチャンネルの映像音声を表示及び出力等し得るようになされている。
【００１５】
実際上、このテレビジョン受像機１の場合、ディジタル放送用の第１のアンテナ（図示せず）を介して受信したＢＳ（Ｂｒｏａｄｃａｓｔｉｎｇ  Ｓａｔｅｌｌｉｔｅ）放送、ＣＳ（Ｃｏｍｍｕｎｉｃａｔｉｏｎ  Ｓａｔｅｌｌｉｔｅ）放送又はディジタル地上波放送のディジタルテレビジョン放送信号をディジタルチューナ部５に入力する。
【００１６】
ディジタルチューナ部５は、制御部４の制御のもとに、供給される各チャンネルのディジタルテレビジョン放送信号Ｓ３の中からユーザにより指定されたチャンネルのディジタルテレビジョン放送信号Ｓ３を選択し、これをビデオブロック６のデスクランブル回路７に送出する。
【００１７】
デスクランブル回路７は、供給されるディジタルテレビジョン放送信号Ｓ３に対して所定のデスクランブル処理を施すことにより当該ディジタルテレビジョン放送信号Ｓ３の暗号を解除し、かくして得られたデスクランブルテレビジョン放送信号Ｓ４をデマルチプレクサ回路８に送出する。
【００１８】
デマルチプレクサ回路８は、供給されるデスクランブルテレビジョン放送信号Ｓ４を符号化映像データＤ１、音声符号化データＤ２及びサービスデータＤ３に分離し、符号化映像データＤ１をビデオデコーダ９に送出すると共に、符号化音声データＤ２をオーディオブロック１６のオーディオデコーダ回路１７に送出し、サービスデータＤ３をバス１０を介してビデオブロック６全体の動作制御を司るＭＰＵ（Ｍｉｃｒｏ  Ｐｒｏｃｅｓｓｏｒ  Ｕｎｉｔ）１１に送出する。
【００１９】
ビデオデコーダ回路９は、ＭＰＵ１１の制御のもとに、供給される映像符号化データＤ１に対して例えばＭＰＥＧ（Ｍｏｖｉｎｇ  Ｐｉｃｔｕｒｅ  Ｅｘｐｅｒｔｓ  Ｇｒｏｕｐ）復号化処理等の所定の復号化処理を施し、かくして得られた復号された例えばＩＴＵ（Ｉｎｔｅｒｎａｔｉｏｎａｌ  Ｔｅｌｅｃｏｍｍｕｎｉｃａｔｉｏｎ  Ｕｎｉｏｎ）−Ｒ６５６フォーマットの映像データＤ４を信号処理回路１２に送出する。
【００２０】
信号処理回路１２は、ビデオデコーダ回路９から与えられる映像データＤ４及び後述のようにアナログ／ディジタル変換回路２１から与えられる映像データＤ８のうち、ユーザにより指定されたチャンネルの映像データＤ４、Ｄ８に対する画像フォーマット変換処理（例えば１９２０×１０８０の画素数の映像データから７２０×４８０の画素数の映像データへの変換処理）や、後述のようなＰｉｎＰ（Ｐｉｃｔｕｒｅ  ｉｎ  Ｐｉｃｔｕｒｅ）画面の作成処理等の所定の信号処理を実行し、かくして得られた信号処理映像データＤ５をグラフィック回路１３に送出する。
【００２１】
グラフィック回路１３は、ＭＰＵ１１の制御のもとに、ＥＰＧ（Ｅｌｅｃｔｒｏｎｉｃ  Ｐｒｏｇｒａｍ  Ｇｕｉｄｅ）や各種メニュー等のグラフィックを発生させると共に、当該発生させたグラフィックのデータを信号処理映像データＤ５に重畳し、これをグラフィック重畳映像データＤ６としてＣＲＴ（Ｃａｔｈｏｄｅ−Ｒａｙ  Ｔｕｂｅ）ドライバ１４に送出する。
【００２２】
ＣＲＴドライバ１４は、制御部４の制御のもとに、供給されるグラフィック重畳映像データＤ６をＲＧＢフォーマットに変換する変換処理や、当該グラフィック重畳映像データＤ６をアナログ信号に変換するディジタル／アナログ変換処理等の所定の信号処理を施し、かくして得られたアナログ映像信号Ｓ５をディスプレイ１５に送出する。これによりこのアナログ映像信号Ｓ５に基づく映像がディスプレイ１５に表示される。
【００２３】
またオーディオデコーダ回路１７は、デマルチプレクサ回路８から与えられる音声符号化データＤ２及び後述のようにアナログ／ディジタル変換回路２１から与えられる音声データＤ９のうち、ユーザにより指定されたチャンネルの音声符号化データＤ２又は音声データＤ９を選択する。
【００２４】
そしてオーディオデコーダ回路１７は、デマルチプレクサ回路８からの音声符号化データＤ２を選択したときには、当該音声符号化データＤ２に対して例えばＰＣＭ（Ｐｕｌｓｅ  Ｃｏｄｅ  Ｍｏｄｕｌａｔｉｏｎ）復号化処理等の所定の復号化処理を施し、かくして得られた復号されたＰＣＭフォーマットの音声データを選択音声データＤ７としてディジタル／アナログ変換回路１８に送出する。またオーディオデコーダ回路１０は、アナログ／ディジタル変換回路から与えられる音声データを選択したときには、これをそのまま選択音声データＤ７としてディジタル／アナログ変換回路１７に送出する。
【００２５】
ディジタル／アナログ変換回路１７は、供給される選択音声データＤ７をディジタル／アナログ変換処理を施し、かくして得られたアナログ音声信号Ｓ６をスピーカ１９に送出する。これによりこのアナログ音声信号Ｓ６に基づく音声がスピーカ１９から出力される。
【００２６】
他方、テレビジョン受像機１は、アナログ地上波によるテレビジョン放送を受信するためのアナログチューナ部２０をも有しており、アナログ地上波放送用の第２のアンテナ（図示せず）を介して受信した各アナログテレビジョン放送信号Ｓ１０を当該アナログチューナ部２０に入力する。
【００２７】
アナログチューナ部２０は、制御部４の制御のもとに、供給される各チャンネルのアナログテレビジョン放送信号Ｓ１０の中からユーザにより指定されたチャンネルのアナログテレビジョン放送信号Ｓ１０を選択し、これをアナログ／ディジタル変換回路２１に送出する。
【００２８】
アナログ／ディジタル変換回路２１は、供給されるアナログテレビジョン放送信号Ｓ１０をディジタル変換し、かくして得られた映像データＤ８をビデオブロック６の信号処理回路１２に送出すると共に、音声データＤ９をオーディオブロック１６のオーディオデコーダ回路１７に送出する。
【００２９】
この結果、ユーザによりそのチャンネルが指定されていた場合には、制御部４の制御のもとに、信号処理回路１２においてこの映像データＤ８が選択されて、上述のように当該映像データＤ８に基づく映像がディスプレイ１５に表示される一方、オーディオデコーダ回路１７においてこの音声データＤ９が選択されて、上述のように当該音声データＤ９に基づく音声がスピーカ１９から出力される。
【００３０】
このようにしてこのテレビジョン受像機においては、ユーザにより指定されたＢＳ放送、ＣＳ放送若しくはディジタル地上波放送の映像音声や、アナログ地上波放送の映像音声をディスプレイ１５に表示し、又はスピーカ１９から出力し得るようになされている。
【００３１】
かかる構成に加えこのテレビジョン受像機１の場合、図２（Ａ）に示すように、ユーザがテレビジョン放送を視聴中にリモートコントローラ２の「ポーズ」ボタンを押圧操作することにより、その瞬間の静止画を子画面３２で表示させることができ、さらにこの状態でリモートコントローラ２の「早送り」ボタン、「早戻し」ボタン、「コマ送り」ボタン又は「コマ戻し」ボタン等を押圧操作することにより、子画面３２に表示された映像を、図２（Ｂ）及び（Ｃ）に示すように、「ポーズ」ボタンが押圧操作された瞬間からその数分〜数十分前までの範囲内において、自在に早戻し再生、早送り再生、コマ送り再生又はコマ戻し再生等のトリックプレイを行わせる機能（以下、これをトリックプレイ表示機能と呼ぶ）が搭載されている。
【００３２】
実際上このテレビジョン受像機１の場合、かかるトリックプレイを行い得るようにするための手段として、図３に示すように、例えば１２８〔Ｍｂｉｔ〕程度の記憶容量を有する８つのＳＤＲＡＭ（Ｓｙｎｃｈｒｏｎｏｕｓ  Ｄｙｎａｍｉｃ  ＲＡＭ）４１Ａ〜４１Ｈと、例えばメモリスティック（ソニー株式会社  登録商標）等の可搬型の外部メモリ４２を着脱自在に装填するためのスロット４３とを有するタイムシフトモジュール部４０が設けられている。
【００３３】
そしてこのタイムシフトモジュール部４０には、図２に示すように、そのときユーザが視聴しているテレビジョン放送のチャンネル（以下、これをユーザ視聴チャンネルと呼ぶ）の映像データＤ１０（映像データＤ４又は映像データＤ８）及び音声データＤ１１（音声データＤ２又は音声データＤ９）がそれぞれビデオブロック６の信号処理回路１２又はオーディオブロック１６のオーディオデコーダ回路１７から与えられる。
【００３４】
タイムシフトモジュール部４０は、供給される例えばＩＴＵ−Ｒ６５６フォーマットの映像データＤ１０をセレクタ４４を介してＤＶ（Ｄｉｇｉｔａｌ  Ｖｉｄｅｏ）コーディク部４５に入力する一方、供給される例えばＰＣＭフォーマットの音声データＤ１１をＤＶコーディク部４５に入力し、これらをＤＶ（Ｄｉｇｉｔａｌ  Ｖｉｄｅｏ）フォーマットに変換する。そしてＤＶコーディク部４５は、このようにして得られたＤＶフォーマットのＤＶ映像データＤ１２及びＤＶ音声データＤ１３をメモリコントローラ４６に与える。
【００３５】
またメモリコントローラ４６は、ＤＶコーディク部４５から与えられるＤＶ映像データＤ１２及びＤＶ音声データＤ１３を、８つのＳＤＲＡＭ４１Ａ〜４１Ｈの各記憶領域を１つの一連の記憶領域として、当該記憶領域に循環的にオーバーライトしながら順次書き込む。
【００３６】
このようにしてタイムシフトモジュール部４０は、ユーザ視聴チャンネルにおけるその瞬間から直前の数分〜数十分分のＤＶ映像データＤ１２及びＤＶ音声データＤ１３をこれら８つのＳＤＲＡＭ４１Ａ〜４１Ｈにおいてリアルタイムで順次更新しながら一時記憶するように保持する。
【００３７】
一方、ユーザが所望のチャンネルを視聴中にリモートコントローラ２のポーズボタンを押圧操作すると、これに応じた入力受信信号Ｓ２がリモコン受光部３（図１）から制御部４に与えられ、当該入力受信信号Ｓ２に基づくコマンドが制御部４からメモリコントローラ４６に与えられる。
【００３８】
メモリコントローラ４６は、このコマンドが与えられると、ＳＤＲＡＭ４１Ａ〜４１ＨへのＤＶ映像データＤ１２及びＤＶ音声データＤ１３の書き込みを中止し、このときＳＤＲＡＭ４１Ａ〜４１Ｈに保持されているＤＶ映像データＤ１２及びＤＶ音声データＤ１３のうち、ユーザがリモートコントローラ２の「ポーズ」ボタンを押圧操作した瞬間のユーザ視聴チャンネルのフレームのＤＶ映像データＤ１２である、最後にＳＤＲＡＭ４１Ａ〜４１Ｈに書き込まれた１フレーム分のＤＶ映像データＤ１２を読み出し、これをＤＶコーディク部４５に送出する。
【００３９】
このときＤＶコーディク部４５は、この１フレーム分のＤＶ映像データＤ１２をデコードすることによりＩＴＵ−Ｒ６５６フォーマットの映像データＤ１４を得、これをセレクタ４４を介して信号処理回路１２（図１）に送出する。
【００４０】
また信号処理回路１２は、ＤＶコーディク部４５から１フレーム分のＤＶ映像データＤ１２が与えられると、ユーザ視聴チャンネルの映像データＤ１０に基づく映像を親画面３１（図２）とし、当該ＤＶコーディク部４５からの１フレーム分の映像データＤ１４に基づく映像（静止画像）を子画面３２（図２）とする映像画面の映像データを生成し、これを信号処理映像データＤ５としてグラフィック回路１３に送出する。
【００４１】
この結果この信号処理映像データＤ５に基づいて、例えば図２（Ａ）に示すように、ユーザ視聴チャンネルの映像がリアルタイムで表示された親画面３１の右上部に、ユーザがリモートコントローラ２の「ポーズ」ボタンを押圧操作した瞬間のユーザ視聴チャンネルの静止画像が子画面３２として表示されてなるＰｉｎＰ画面３０がディスプレイ１５に表示される。
【００４２】
またこれと並行して、メモリコントローラ４６は、ＳＤＲＡＭ４１Ａ〜４１Ｈに格納されていた全てのＤＶ映像データＤ１２及びＤＶ音声データＤ１３を順次読み出し、これをＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）１３９４インターフェース部４７に送出する。
【００４３】
このときＩＥＥＥ１３９４インターフェース部４７は、ＩＥＥＥ１３９４シリアルバス４８を介して外部メモリモジュール部４９のＩＥＥＥ１３９４インターフェース部５０と接続されており、メモリコントローラ４６から与えられるＤＶ映像データＤ１２及びＤＶ音声データＤ１３をこれらＩＥＥＥ１３９４シリアルバス４８及びＩＥＥＥ１３９４インターフェース部５０を順次介して外部メモリモジュール部４９の読書き制御部５１に送出する。
【００４４】
そして読書き制御部５１は、このメモリコントローラ４６から与えられるＤＶ映像データＤ１２及びＤＶ音声データＤ１３を、そのときスロット４３に装填された外部メモリ４２に格納する。
【００４５】
このようにしてタイムシフトモジュール部４０は、ユーザによりリモートコントローラ２の「ポーズ」ボタンが押圧操作されたときに、それまで順次更新しながらＳＤＲＡＭ４１Ａ〜４１Ｈに保持していたＤＶ映像データＤ１２及びＤＶ音声データＤ１３を外部メモリ４２に記録する。
【００４６】
一方、この状態においてユーザがリモートコントローラ２の「早送り」ボタン、「早戻し」ボタン、「スロー再生」ボタン、「逆スロー再生」ボタン、「１倍速再生」ボタン、「１倍速逆再生」ボタン、「コマ送り」ボタン又は「コマ戻し」ボタンを押圧操作すると、これに応じた入力受信信号Ｓ２がリモコン受光部３（図１）から制御部４に与えられ、当該入力受信信号Ｓ２に基づくコマンドが制御部４からタイムシフトモジュール部４０の読書き制御部５１に与えられる。
【００４７】
このとき読書き制御部５１は、このコマンドに応じた読出しモードでＤＶ映像データＤ１２及びＤＶ音声データＤ１３を外部メモリ４２から読み出し、これをＩＥＥＥ１３９４インターフェース部５０に送出する。
【００４８】
具体的には、読書き制御部５１は、例えばリモートコントローラ２の「早送り」ボタン又は「早戻し」ボタンの押圧操作に応じたコマンドが与えられた場合には、例えば時系列的に前方向又は後方向の数フレームおきの各フレームのＤＶ映像データＤ１２及びこれに対応するＤＶ音声データＤ１３を外部メモリ４２から順次読み出し、リモートコントローラ２の「スロー再生」ボタン又は「逆スロー再生」ボタンの押圧操作に応じたコマンドが与えられた場合には、時系列的に前方向又は後方向の各フレームのＤＶ映像データＤ１２及びこれに対応するＤＶ音声データＤ１３をそれぞれ数回ずつ繰り返し外部メモリ４２から順次読み出して、これをＩＥＥＥ１３９４インターフェース部５０に送出する。
【００４９】
また読書き制御部５１は、リモートコントローラ２の「１倍速再生」ボタン又は「１倍速逆再生」ボタンの押圧操作に応じたコマンドが与えられた場合には、時系列的に前方向又は後方向の各フレームのＤＶ映像データＤ１２及びこれに対応するＤＶ音声データＤ１３を外部メモリ４２から順次読み出し、リモートコントローラ２の「コマ送り」ボタン又は「コマ戻し」ボタンの押圧操作に応じたコマンドが与えられた場合には、時系列的に前方向又は後方向の１フレーム分のみのＤＶ映像データＤ１２及びこれに対応するＤＶ音声データＤ１３を外部メモリ４２から繰り返し読み出して、これをＩＥＥＥ１３９４インターフェース部５０に送出する。
【００５０】
かくしてこの外部メモリ４２から読み出されたＤＶ映像データＤ１２及びＤＶ音声データＤ１３がこの後ＩＥＥＥ１３９４インターフェース部５０、ＩＥＥＥ１３９４シリアルバス４８及びＩＥＥＥ１３９４インターフェース部４７を順次介してＤＶコーディク部４５に与えられ、当該ＤＶコーディク部４５においてＩＴＵ−Ｒ６５６フォーマットの映像データＤ１４及びＰＣＭフォーマットの音声データＤ１５に変換される。
【００５１】
そしてＤＶコーディク部４５は、このようにして得られたＩＴＵ−Ｒ６５６フォーマットの映像データＤ１４をセレクタ４４を介して信号処理回路１２（図１）に送出する一方、ＰＣＭフォーマットの音声データＤ１５をオーディオデコーダ回路１７（図１）に送出する。
【００５２】
このとき信号処理回路１２は、ユーザ視聴チャンネルの映像データＤ１０に基づく映像を親画面３１（図３）とし、タイムシフトモジュール部４０から与えられる映像データＤ１４に基づく映像を子画面３２（図３）とするＰｉｎＰ画面３０の映像データを順次生成し、これを信号処理映像データＤ５としてグラフィック回路１３に送出する。
【００５３】
この結果、図２（Ａ）について上述したＰｉｎＰ画面３０における子画面３２内の映像がユーザによるリモートコントローラ２の「早送り」ボタン、「早戻し」ボタン、「コマ送り」ボタン又は「コマ戻し」ボタン等の押圧操作に応じて図２（Ｂ）及び（Ｃ）のように早送り再生、早戻し再生、コマ送り再生又はコマ戻し再生等された状態で表示される。
【００５４】
このようにしてこのテレビジョン受像機１においては、ユーザがリモートコントローラ２の「ポーズ」ボタンを押圧操作した瞬間から数分〜数十分前までの映像について、ＰｉｎＰ画面３０の子画面３２内において「早送り」、「早戻し」、「コマ送り」又は「コマ戻し」等のトリックプレイを行うことができるようになされている。
【００５５】
さらにディスプレイ１５にこのようなＰｉｎＰ画面３０が表示された状態において、ユーザがリモートコントローラ２の「画面切替え」ボタンを押圧操作すると、これに応じた入力受信信号Ｓ２がリモコン受光部３から制御部４に与えられ、当該入力受信信号Ｓ２に応じたコマンドが制御部４から信号処理回路１２及びオーディオデコーダ回路１７に与えられる。
【００５６】
このとき信号処理回路１２は、このコマンドが与えられると、それまで親画面３１に表示していた映像を子画面３２とし、かつそれまで子画面３２に表示していた映像を親画面３１とする映像データを生成し、これを信号処理映像データＤ５としてグラフィック回路１３に送出する。
【００５７】
またオーディオデコーダ回路１７は、かかるコマンドが与えられると、それまで選択していたユーザ視聴チャンネルの音声データＤ１１に代えて、タイムシフトモジュール部４０から与えられる音声データＤ１５を選択し、これを選択音声データＤ７としてディジタル／アナログ変換回路１８に出力する。
【００５８】
この結果、図２について上述したＰｉｎＰ画面３０における親画面３１の映像と子画面３２の映像とが切り替えられてディスプレイ１５に表示され、またこれと併せて当該親画面３１に切り替えられた映像に対応する音声がスピーカ１９から出力される。なおこの場合にあっても、子画面３２に表示されたユーザ視聴チャンネルの映像はリアルタイムで進行するよう表示される。
【００５９】
そしてこの状態において、さらにユーザがリモートコントローラ２の「早送り」ボタン、「早戻し」ボタン、「コマ送り」ボタン又は「コマ戻し」ボタン等を押圧操作すると、これに応じた入力受信信号Ｓ２がリモコン受光部３から制御部４に与えられる。
【００６０】
そして制御部４は、かかる入力受信信号Ｓ２が与えられると、上述のように外部メモリ４２に格納されているＤＶ映像データＤ１２（図３）に基づく映像をＰｉｎＰ画面３０の子画面３２に表示させていたときと同様に信号処理回路１２及びタイムシフトモジュール部４０等を制御する。
【００６１】
この結果、図２について上述したＰｉｎＰ画面３０における親画面３１内の映像がユーザによるリモートコントローラ２の「早送り」ボタン、「早戻し」ボタン、「コマ送り」ボタン又は「コマ戻し」ボタン等の押圧操作に応じて早送り再生、早戻し再生、コマ送り再生又はコマ戻し再生等されるようにしてディスプレイ１５（図１）に表示され、当該親画面３１内の映像に対応する音声がスピーカ１９（図１）から出力される。
【００６２】
このようにしてこのテレビジョン受像機１においては、ユーザがリモートコントローラ２の「ポーズ」ボタンを押圧操作する数分〜数十分前までの映像及び音声について、ＰｉｎＰ画面３０の親画面３２においてもトリックプレイを行い得るようになされている。
【００６３】
なおこの実施の形態によるテレビジョン受像機１の場合、タイムシフトモジュール部４０のメモリコントローラ４６（図３）は、図２（Ａ）について上述したＰｉｎＰ画面３０をディスプレイ１５（図１）に表示されているときも、ＤＶコーディク部４５から順次供給されるＤＶフォーマット化されたユーザ視聴チャンネルの映像データＤ１２及び音声データＤ１３をＳＤＲＡＭ４１Ａ〜４１Ｈに順次更新しながら書き込むようになされている。
【００６４】
そして制御部４は、ディスプレイ１５にＰｉｎＰ画面３０が表示されている状態において、ユーザがリモートコントローラ２の「ポーズ」ボタンを押圧操作することにより、これに応じた入力受信信号Ｓ２がリモコン受光部３から与えられた場合にも、上述の場合と同様にトリックプレイモジュール部４０のメモリコントローラ４６及び読書き制御部５１や、信号処理回路１２（図１）を制御する。
【００６５】
この結果、この場合にも図２について上述したように、ディスプレイ１５に表示されていたＰｉｎＰ画面３０の子画面３２内に、ユーザがリモートコントローラ２の「ポーズ」ボタンを押圧操作した瞬間のユーザ視聴チャンネルの静止画像が表示され、このときＳＤＲＡＭ４１Ａ〜４１Ｈに格納されていたＤＶ映像データＳ１２及びＤＶ音声データＤ１３が外部メモリ４２に格納される。
【００６６】
そしてこの状態において、さらにユーザがリモートコントローラ２の「早送り」ボタン、「早戻し」ボタン、「コマ送り」ボタン又は「コマ戻し」ボタン等を押圧操作すると、これに応じた入力受信信号Ｓ２がリモコン受光部３（図１）から制御部４に与えられる。
【００６７】
そして制御部４は、かかる入力受信信号Ｓ２が与えられると、上述と同様に信号処理回路１２やタイムシフトモジュール部４０等を制御することにより、図２について上述したＰｉｎＰ画面３０における子画面３２内の映像がユーザによるリモートコントローラ２の「早送り」ボタン、「早戻し」ボタン、「コマ送り」ボタン又は「コマ戻し」ボタン等の押圧操作に応じて早送り再生、早戻し再生、コマ送り再生又はコマ戻し再生等されるように表示させる。
【００６８】
このようにしてこのテレビジョン受像機１においては、トリックプレイが行われている場合にあっても、リモートコントローラ２における「ポーズ」ボタンの押圧操作に応じて、常にユーザ視聴チャンネルにおけるユーザが所望するシーンをＰｉｎＰ画面３０（図２）で表示し得るようになされている。
【００６９】
またこの実施の形態によるテレビジョン受像機１の場合、タイムシフトモジュール部４０におけるＩＥＥＥ１３９４インターフェース部４７及びＩＥＥＥ１３９４インターフェース部５０間における通信を、著作権保護のための通信方式であるＤＴＰＣ（Ｄｉｇｉｔａｌ  Ｔｒａｎｓｍｉｓｓｉｏｎ  Ｃｏｎｔｅｎｔ  Ｐｒｏｔｅｃｔｉｏｎ）方式で行うようになされている。
【００７０】
具体的には、ＩＥＥＥ１３９４インターフェース部４７は、メモリコントローラ４６から与えられるＳＤＲＡＭ４１Ａ〜４１Ｈから読み出されたＤＶ映像データＤ１２及びＤＶ音声データＤ１３を相手側のＩＥＥＥ１３９４インターフェース部５０に送信するに際して、当該ＩＥＥＥ１３９４インターフェース部５０の認証を行い、認証できたときにＤＶ映像データＤ１２及びＤＶ音声データＤ１３を暗号化して複製制御情報（「コピー禁止」、「１世代コピー可」又は「コピー可」）と共に当該ＩＥＥＥ１３９４インターフェース部５０に送信する。
【００７１】
この結果、この暗号化されたＤＶ映像データＤ１２及びＤＶ音声データＤ１３がそのままＩＥＥＥ１３９４インターフェース部５０を介してその複製制御情報と共に読書き制御部５１に与えられ、これらＤＶ映像データＤ１２及びＤＶ音声データＤ１３が暗号化されたまま複製制御情報と共に外部メモリ４２に格納される。
【００７２】
またこの外部メモリ４２に格納されたＤＶ映像データＤ１２及びＤＶ音声データＤ１３を利用した上述のトリックプレイ時には、読書き制御部５１により当該外部メモリ４２からＤＶ映像データＤ１２及びＤＶ音声データＤ１３が読み出され、これがＩＥＥＥ１３９４インターフェース部５０に与えられる。
【００７３】
そしてＩＥＥＥ１３９４インターフェース部５０は、供給されるＤＶ映像データＤ１２及びＤＶ音声データＤ１３を相手側のＩＥＥＥ１３９４インターフェース部４７に送信するに際して当該ＩＥＥＥ１３９４インターフェース部４７の認証を行い、認証できたときにこのＤＶ映像データＤ１２及びＤＶ音声データＤ１３をそのままＩＥＥＥ１３９４シリアルバス４８を介してＩＥＥＥ１３９４インターフェース部４７に送信する。
【００７４】
かくしてＩＥＥＥ１３９４インターフェース部４７は、供給されるＤＶ映像データＤ１２及びＤＶ音声データＤ１３の暗号を解除し、この暗号が解除されたＤＶ映像データＤ１２及びＤＶ音声データＤ１３をＤＶコーディク部４５に送出する。
【００７５】
このようにこのテレビジョン受像機１においては、タイムシフトモジュール部４０内のＩＥＥＥ１３９４インターフェース部４７及びＩＥＥＥ１３９４インターフェース部５０間における通信方式としてＤＴＰＣ（Ｄｉｇｉｔａｌ  Ｔｒａｎｓｍｉｓｓｉｏｎ  Ｃｏｎｔｅｎｔ  Ｐｒｏｔｅｃｔｉｏｎ）方式を採用し、ＤＶ映像データＤ１２及びＤＶ音声データＤ１３をこれに準拠したフォーマットで外部メモリ４２に格納することで、当該外部メモリ４２がテレビジョン受像機１から取り出されて他の映像機器に使用された場合においても、当該外部メモリ４２に書き込まれたＤＶ映像データＤ１２及びＤＶ音声データＤ１３が不正コピー等されるのを未然かつ有効に防止し得るようになされている。
【００７６】
さらにこの実施の形態によるテレビジョン受像機１の場合、図３に示すように、タイムシフトモジュール部４０のＩＥＥＥ１３９４インターフェース部４７は、当該テレビジョン受像機１の正面又は背面側に配設された外部入力端子５２Ａ、５２Ｂと接続されており、これにより当該外部入力端子５２Ａ、５２Ｂに接続されたＤＶカムコーダ等の外部映像機器から与えられるＤＶ映像データＤ２０及びＤＶ音声データＤ２１をタイムシフトモジュール部４０に取り込み得るようになされている。
【００７７】
そしてこの外部映像機器から与えられたＤＶ映像データＤ２０及びＤＶ音声データＤ２１は、ＩＥＥＥ１３９インターフェース部４７を介してＤＶコーディク部４５に与えられ、当該ＤＶコーディク部４５においてそれぞれＩＴＵ−Ｒ６５６フォーマットの映像データＤ１４及びＰＣＭフォーマットの音声データＤ１５に変換された後、それぞれ信号処理回路１２（図１）及びオーディオデコーダ回路１７（図１）に送出される。
【００７８】
このとき制御部４は、ユーザがリモートコントローラ２を操作して入力モードとして「ビデオ入力モード」を選択することにより、これに対応した入力受信信号Ｓ２がリモコン受光部３から与えられると、これに応じて信号処理回路１２及びオーディオデコーダ回路１７を制御する。
【００７９】
かくしてこのとき信号処理回路１２は、このタイムシフトモジュール部４０から与えられる映像データＤ１４を選択し、当該映像データＤ１４に対して所定の信号処理を施した後に、これを信号処理映像データＤ５（図１）としてグラフィック回路１３（図１）に送出する。この結果、この信号処理映像データＤ５に基づく映像がディスプレイ１５に表示される。
【００８０】
またこのときオーディオデコーダ回路１７は、このタイムシフトモジュール部４０から与えられる映像データＤ１４を選択し、これを選択音声データＤ７としてディジタル／アナログ変換回路１８に送出する。この結果、この選択音声データＤ７に基づく音声がスピーカ１９から出力される。
【００８１】
一方、この際図３に示すトリックプレイモジュール部４０では、かかる外部入力端子５２Ａ、５２Ｂを介して外部映像機器から与えられたＤＶ映像データＤ２０及びＤＶ音声データＤ２１がＩＥＥＥ１３９４インターフェース部４７を介してメモリコントローラ４６にも与えられる。そしてメモリコントローラ４６は、このＤＶ映像データＤ２０及びＤＶ音声データＤ２１を、上述したＤＶ映像データＤ１２及びＤＶ音声データＤ１３のときと同様にして、順次更新しながらＳＤＲＡＭ４１Ａ〜４１Ｈに格納する。
【００８２】
かくしてこの状態において、ユーザがリモートコントローラ２の「ポーズ」ボタンを押圧操作すると、上述したユーザが所望するテレビジョン放送を視聴していた場合と同様にして、当該ユーザがリモートコントローラ２の「ポーズ」ボタンを押圧操作した瞬間の静止画像を子画面３２とし、外部映像機器からのＤＶ映像データＤ２０に基づくリアルタイムの映像を親画面３１とするＰｉｎＰ画面３０がディスプレイ１５（図１）に表示される。またこれと併せて、そのときＳＤＲＡＭ４１Ａ〜４１Ｈに保持されていた当該外部映像機器からのＤＶ映像データＤ２０及びＤＶ音声データＤ２１が外部メモリ４２に格納される。
【００８３】
そしてこの状態において、さらにユーザがリモートコントローラ２の「早送り」ボタン、「早戻し」ボタン、「コマ送り」ボタン又は「コマ戻し」ボタン等を押圧操作すると、上述したユーザが所望するテレビジョン放送を視聴していた場合と同様にして、ＰｉｎＰ画面３０（図２）における子画面３２（図２）内の映像がユーザによるリモートコントローラ２の「早送り」ボタン、「早戻し」ボタン、「コマ送り」ボタン又は「コマ戻し」ボタン等の押圧操作に応じて早送り再生、早戻し再生、コマ送り再生又はコマ戻し再生等される。
【００８４】
また、ディスプレイ１５にこのようなＰｉｎＰ画面３０がディスプレイ１５に表示された状態において、ユーザがリモートコントローラ２の「画面切替え」ボタンを押圧操作すると、上述したユーザが所望するテレビジョン放送を視聴していた場合と同様にして、ＰｉｎＰ画面３０における親画面３１の映像と子画面３２の映像とが切り替えられてディスプレイ１５に表示され、またこれと併せて当該親画面３１に切り替えられた映像に対応する音声がスピーカ１９（図１）から出力される。
【００８５】
このようにしてこのテレビジョン受像機１においては、テレビジョン放送を視聴しているときのみならず、ユーザが外部映像機器から与えられるＤＶ映像データＤ２０及びＤＶ音声データＤ２１に基づく映像音声を視聴している場合にも、かかるトリックプレイを行うことができるようになされている。
【００８６】
（２）トリックプレイ表示機能に関する制御部４の処理内容
ここで制御部４は、図４に示すトリックプレイ表示処理手順ＲＴ１に従って信号処理回路１２（図１）、オーディオデコーダ回路１７（図１）及びタイムシフトモジュール部４０を制御することにより、ユーザがテレビジョン放送を視聴しているときの上述のようなトリックプレイをテレビジョン受像機１に行わせる。
【００８７】
すなわち制御部４は、このテレビジョン受像機１の電源が投入されるとこのトリックプレイ表示処理手順ＲＴ１をステップＳＰ０において開始し、続くステップＳＰ１において、リモコン受光部３（図１）から与えられる入力受信信号Ｓ２に基づいて、リモートコントローラ２の「ポーズ」ボタンが押圧操作されたか否かを判断する。
【００８８】
そして制御部４は、このステップＳＰ１において否定結果を得ると、ステップＳＰ２に進んでタイムシフトモジュール部４０のＤＶコーディク部４５（図３）を制御することにより、当該ＤＶコーディク部４５に与えられるユーザ視聴チャンネルの映像データＤ１０及び音声データＤ１１をＤＶフォーマットに変換させる。
【００８９】
また制御部４は、この後ステップＳＰ３に進んで８つのＳＤＲＡＭ４１Ａ〜４１Ｈ（図３）へのＤＶ映像データＤ１２及びＤＶ音声データＤ１３の書き込みが一巡したか否か、すなわち８つのＳＤＲＡＭ４１Ａ〜４１Ｈの記憶領域をまとめて１つの一連の記憶領域とした場合の当該記憶領域における先頭アドレスから最終アドレスまでＤＶ映像データＤ１２及びＤＶ音声データＤ１３を記憶し終えたか否かを判断する。
【００９０】
そして制御部４は、このステップＳＰ３において否定結果を得ると、ステップＳＰ４に進んで、ＤＶコーディク部からメモリコントローラに与えられるＤＶ映像データ及びＤＶ音声データを引続きＳＤＲＡＭ４１Ａ〜４１Ｈに順次書き込ませるように当該メモリコントローラ４６（図３）を制御した後ステップＳＰ１に戻る。
【００９１】
これに対して制御部４は、ステップＳＰ３において肯定結果を得ると、ステップＳＰ５に進んで、ＤＶコーディク部４５からメモリコントローラ４６に与えられるＤＶ映像データＤ１２及びＤＶ音声データＤ１３を、８つのＳＤＲＡＭ４１Ａ〜４１Ｈの記憶領域をまとめて１つの一連の記憶領域とした場合の当該記憶領域における先頭アドレスから書き込み始めるようにメモリコントローラ４６を制御した後ステップＳＰ１に戻る。
【００９２】
そして制御部４は、この後ユーザによりリモートコントローラ２の「ポーズ」ボタンが押圧操作されることによりステップＳＰ１において肯定結果を得るまでステップＳＰ１〜ステップＳＰ５を繰り返す。これにより制御部４は、ユーザ視聴チャンネルのＤＶ映像データＤ１２及びＤＶ音声データＤ１３を、上述のようにタイムシフトモジュール部４０のＳＤＲＡＭ４１Ａに順次更新させながら保持させる。
【００９３】
一方、制御部４は、やがてステップＳＰ１において肯定結果を得ると、ステップＳＰ６に進んで、図５及び図６に示すタイムシフト表示割込み処理手順ＲＴ２をステップＳＰ１０において開始する。
【００９４】
そして制御部４は、続くステップＳＰ１１において、図３に示すタイムシフトモジュール部４０のメモリコントローラ４６を制御することにより、ＳＤＲＡＭ４１Ａ〜４１ＨへのＤＶ映像データＤ１２及びＤＶ音声データＤ１３の書き込みを中止させる。
【００９５】
また制御部４は、続くステップＳＰ１２において、メモリコントローラ４６及びＤＶコーディク部４５を制御して、最後にＳＤＲＡＭ４１Ａ〜４１Ｈに書き込んだ１フレーム分のＤＶ映像データＤ１２をＳＤＲＡＭ４１Ａ〜４１Ｈから読み出させ、これをＤＶコーディク部４５においてＩＴＵ−Ｒ６５６フォーマットの映像データＤ１４に変換させて信号処理回路１２（図１）に送出させる。
【００９６】
さらに制御部４は、これと併せて信号処理回路１２を制御することにより、ユーザ視聴チャンネルの映像データＤ１０（図１）に基づく映像を親画面３１（図２）とし、タイムシフトモジュール部４０から与えられる１フレーム分の映像データＤ１４（図１）に基づく映像（静止画像）を子画面３２（図２）とする信号処理映像データＤ５（図１）を生成させ、これをグラフィック回路１３に送出させる。これにより制御部４は、ユーザがリモートコントローラ２の「ポーズ」ボタンを押圧操作したタイミングのユーザ視聴チャンネルの映像をＰｉｎＰ画面３０（図２）の子画面３２内に静止画像として表示させる。
【００９７】
続いて制御部４は、ステップＳＰ１３に進んで、タイムシフトモジュール部４０のメモリコントローラ４６を制御することにより、ＳＤＲＡＭ４１Ａ〜４１Ｈに格納されたＤＶ映像データＤ１２及びＤＶ音声データＤ１３を、ＳＲＲＡＭ４１Ａ〜４１Ｈにおける最後の１フレーム分のＤＶ映像データＤ１２及びＤＶ音声データＤ１３が書き込まれたアドレスの次のアドレス位置から順番に読み出させ、これをＩＥＥＥ１３９４インターフェース部４７に送出させる。
【００９８】
また制御部４０は、これと併せてタイムシフトモジュール部４０の読書き制御部５１を制御することにより、かかるＩＥＥＥ１３９４インターフェース部４７からＩＥＥＥ１３９４シリアルバス４８を介して当該読書き制御部５１に与えられるＤＶ映像データＤ１２及びＤＶ音声データＤ１３を、外部メモリ４２における先行するＤＶ映像データＤ１２及びＤＶ音声データＤ１３の書き込みの際に最後の１フレーム分のＤＶ映像データＤ１２及びＤＶ音声データＤ１３を書き込んだアドレスの次のアドレス位置から順番に書き込ませる。
【００９９】
また制御部４は、この後ステップＳＰ１４に進んで、ＳＤＲＡＭ４１Ａ〜４１Ｈに保持された全てのＤＶ映像データＤ１２及びＤＶ音声データＤ１３を読書き制御部５１に転送し終えたか否かを判断する。
【０１００】
そして制御部４は、このステップＳＰ１４において否定結果を得ると、ステップＳＰ１５に進んで、自己の動作モードをユーザがリモートコントローラ２の「ポーズ」ボタンを押圧操作してもこれを受け付けない動作モード（以下、これを「ポーズ」ボタン受付禁止モードと呼ぶ）に設定した後ステップＳＰ１３に戻り、この後ステップＳＰ１４において肯定結果を得るまで、ステップＳＰ１３−ＳＰ１４−ＳＰ１５−ＳＰ１３のループを繰り返す。
【０１０１】
そして制御部４は、やがてＳＤＲＡＭ４１Ａ〜４１Ｈに格納された全てのＤＶ映像データＤ１２及びＤＶ音声データＤ１３を読書き制御部５１に転送し終えることによりステップＳＰ１４において肯定結果を得ると、ステップＳＰ１６に進んで、「ポーズ」ボタン受付禁止モードを解除して、自己の動作モードをユーザがリモートコントローラ２の「ポーズ」ボタンを押圧操作したときにこれを受け付ける動作モードに設定し直す。
【０１０２】
次いで制御部４は、ステップＳＰ１７に進んで、メモリコントローラ４６を制御することにより、ＳＤＲＡＭ４１Ａ〜４１ＨへのＤＶ映像データＤ１２及びＤＶ音声データＤ１３の書き込みを、当該ＳＤＲＡＭ４１Ａ〜４１ＨにおけるステップＳＰ１１において最後の１フレーム分のＤＶ映像データＤ１２及びＤＶ音声データＤ１３を書き込んだアドレスの次のアドレス位置から再開させる。
【０１０３】
そして制御部４は、この後リモコン受光部３から与えられる入力受信信号Ｓ２に基づいて、ステップＳＰ１８、ステップＳＰ２０、ステップＳＰ２２及びステップＳＰ２４において、リモートコントローラ２の「早送り」ボタン若しくは「早戻し」ボタンが押圧操作されたか否か、リモートコントローラ２の「スロー再生」ボタン若しくは「逆スロー再生」ボタンが押圧操作されたか否か、リモートコントローラ２の「コマ送り」ボタン若しくは「コマ戻し」ボタンが押圧操作されたか否か、リモートコントローラ２の「１倍速再生」ボタン若しくは「１倍速逆再生」ボタンが押圧操作されたか否かを順次判断する。
【０１０４】
そして制御部４は、これらステップＳＰ１８、ステップＳＰ２０、ステップＳＰ２２又はステップＳＰ２４において肯定結果を得た場合には、それぞれこれに続くステップＳＰ１９、ステップＳＰ２１、ステップＳＰ２３又はステップＳＰ２５において読書き制御部５１を制御することにより、ＤＶ映像データＤ１２及びＤＶ音声データＤ１３を対応する読出しモードで外部メモリ４２から読み出させる。
【０１０５】
この結果この外部メモリ４２から読み出されたＤＶ映像データＤ１２及びＤＶ音声データＤ１３がＩＥＥＥ１３９４インターフェース部５０、ＩＥＥＥ１３９４シリアルバス４８及びＩＥＥＥ１３９４インターフェース部４７を順次介してＤＶコーディク部４５に与えられ、当該ＤＶコーディク部４５においてＩＴＵ−Ｒ６５６フォーマットの映像データＤ１４及びＰＣＭフォーマットの音声データＤ１５に変換される。
【０１０６】
さらに制御部４は、これと併せて信号処理回路１２を制御することにより所定の信号処理を実行させ、これによりディスプレイ１５に表示されたＰｉｎＰ画面３０における子画面３２内に、かかるＤＶコーディク部４５から出力されるＩＴＵ−Ｒ６５６フォーマットの映像データＤ１４に基づく映像を表示させる。
【０１０７】
さらに制御部４は、この後ステップＳＰ２６に進み、リモコン受光部３から与えられる入力受信信号Ｓ２に基づいて、リモートコントローラ２の「画面切替え」ボタンが押圧操作されたか否かを判断する。
【０１０８】
そして制御部４は、このステップＳＰ２６において肯定結果を得ると、ステップＳＰ２７に進んで信号処理回路１２を制御し、ディスプレイ１５に表示されたＰｉｎＰ画面３０における親画面３１と子画面３２の各映像を切り替えるための信号処理を実行させる一方、オーディオデコーダ回路１７を制御してタイムシフトモジュール部４０から出力される音声データＤ１５を選択させてディジタル／アナログ変換回路１８に送出させる。
【０１０９】
このようにして制御部４は、ステップＳＰ２６において肯定結果を得ると、外部メモリ４２に格納されたＤＶ映像データＤ１２に基づく映像を親画面３１として表示させ、かつ外部メモリ４２に格納されたＤＶ音声データＤ１３に基づく音声をスピーカ１５から出力させる。そして制御部４は、この後ステップＳＰ２８に進む。
【０１１０】
これに対して制御部４は、ステップＳＰ２６において否定結果を得ると直ちにステップＳＰ２８に進む。
【０１１１】
そして制御部４は、ステップＳＰ２８に進むと、リモコン受光部３から与えられる入力受信信号Ｓ２に基づいて、リモートコントローラ２の「２画面表示終了」ボタンが押圧操作されたか否かを判断する。
【０１１２】
そして制御部４は、このステップＳＰ２８において否定結果を得ると、ステップＳＰ１８に戻り、この後このステップＳＰ２８において肯定結果を得るまでステップＳＰ１８〜ステップＳＰ２８−ＳＰ１８のループを繰り返す。
【０１１３】
そして制御部４は、やがてユーザがリモートコントローラ２の「２画面表示終了」ボタンを押圧操作することによりこのステップＳＰ２８において肯定結果を得ると、ステップＳＰ２９に進んでこのタイムシフト表示割込み処理手順ＲＴ２を終了してトリックプレイ表示処理手順ＲＴ１（図４）のステップＳＰ１に戻る。
【０１１４】
このようにして制御部４は、ユーザがテレビジョン放送を視聴しているときに、当該ユーザのリモートコントローラ２の操作に応じたトリックプレイをテレビジョン受像機１に実行させる。
【０１１５】
（３）本実施の形態の動作及び効果
以上の構成において、このテレビジョン受像機１は、ユーザが視聴しているテレビジョン放送の映像データＤ１０及び音声データＤ１１や、ユーザがその映像音声を視聴している場合の外部映像機器から与えられたＤＶ映像データＤ２０及びＤＶ音声データＤ２１をタイムシフトモジュール部４０のＳＤＲＡＭ４１Ａ〜４１Ｈにその瞬間から直前の数分〜数十分分だけ順次更新しながら保持する。
【０１１６】
そしてテレビジョン受像機１は、リモートコントローラ２の「ポーズ」ボタンが押圧操作されると、このＳＤＲＡＭ４１Ａ〜４１Ｈに保持したＤＶ映像データＤ１２、Ｄ２０及びＤＶ音声データＤ１３、Ｄ２１をスロット４３（図３）に装填された外部メモリ４２に格納し、この後ユーザのリモートコントローラ２の操作に応じて、当該外部メモリ４２に格納したＤＶ映像データＤ１２、Ｄ２０及びＤＶ音声データＤ１３、Ｄ２１に基づく映像を「早送り」、「早戻し」、「コマ送り」、「コマ戻し」等させながら表示する。
【０１１７】
従って、このテレビジョン受像機１では、ユーザが視聴している映像音声を順次外部メモリ４２に蓄積させることができ、さらにこの蓄積させた映像音声をユーザが自在に「早送り」、「早戻し」、「コマ送り」又は「コマ戻し」等させながら表示させることができるため、リプレイ表示される映像の中から当該ユーザが所望するシーン等を容易かつ自在に検索することができる。
【０１１８】
この場合において、ユーザが視聴しているテレビジョン放送の映像データＤ１０及び音声データＤ１１や、ユーザが視聴している外部映像機器から与えられたＤＶ映像データＤ２０及びＤＶ音声データＤ２１を、タイムシフトモジュール部４０のＳＤＲＡＭ４１Ａ〜４１Ｈを介在させずに外部メモリ４２に順次更新しながら直接格納することにより、当該外部メモリ４２において保持するようにすることも考えられるが、外部メモリ４２として用いられるフラッシュメモリは書込み可能回数が１０万回程度と少なく、かかる方法は実用的ではない。
【０１１９】
従って、このテレビジョン受像機１のように、書込み可能回数がフラッシュメモリに比して格段的に多いＳＤＲＡＭ４１Ａ〜４１Ｈを用いて、通常時はユーザ視聴チャンネル等のＤＶ映像データＤ１２、Ｄ２０及びＤＶ音声データＤ１３、Ｄ２１を順次更新しながらＳＤＲＡＭ４１Ａ〜４１Ｈにおいて保持し、リモートコントローラ２の「ポーズ」ボタンが押圧操作されたときにのみ、当該ＳＤＲＡＭ４１Ａ〜４１Ｈがそのとき保持しているＤＶ映像データＤ１２、Ｄ２０及びＤＶ音声データＤ１３、Ｄ２１を外部メモリ４２に格納するようにすることによって、ユーザが外部メモリ４２の書込み回数制限を意識することなく、ユーザが所望する映像音声のアーカイブを外部メモリ４２に構築することができる。
【０１２０】
またこのようにＳＤＲＡＭ４１Ａ〜４１Ｈを介在させることによって、図２について上述したＰｉｎＰ画面３０の表示時において、ユーザが視聴しているテレビジョン放送の映像データＤ１０及び音声データＤ１１や、ユーザが視聴している外部映像機器から与えられたＤＶ映像データＤ２０及びＤＶ音声データＤ２１のＳＤＲＡＭ４１Ａ〜４１Ｈへの書き込みを再開した場合にあっても、トリックプレイ中の映像音声のＤＶ映像データＤ１２、Ｄ２０及び音声データＤ１３、Ｄ２１が上書きされてなくなるという事態の発生を未然かつ有効に防止することができる。
【０１２１】
さらにこのテレビジョン受像機１のように、外部メモリ４２を利用することによって、ユーザの所望する映像音声を外部に持ち出すことが可能となり、さらには外部メモリ４２を記憶容量の大きいもの又は小さいものに交換等することによって、内蔵されたＳＤＲＡＭ４１Ａ〜４１Ｈの記憶容量に拘わりなく、かかるユーザの所望する映像音声のアーカイブの容量を当該ユーザが自在に増減させることができる。
【０１２２】
以上の構成によれば、ユーザが視聴しているテレビジョン放送等のＤＶ映像データＤ１２、Ｄ２０及び音声データＤ１３、Ｄ２１をタイムシフトモジュール部４０のＳＤＲＡＭ４１Ａ〜４１Ｈにおいて数分〜数十分分だけ順次更新しながら保持し、必要時にのみ当該ＤＶ映像データＤ１２、Ｄ２０及びＤＶ音声データＤ１３、Ｄ２１を外部メモリ４２に格納して、当該外部メモリ４２に格納されたＤＶ映像データＤ１２、Ｄ２０及びＤＶ音声データＤ１３、Ｄ２１を用いてトリックプレイ表示を行うようにしたことにより、ユーザが所望する映像音声のアーカイブを外部メモリ４２に構築し、さらにこれを外部に自在に持ち出すことができ、かくして機能性を格段的に向上させ得るテレビジョン受像機を実現できる。
【０１２３】
（４）他の実施の形態
なお上述の実施の形態においては、本発明をテレビジョン受像機１に適用した場合について述べたが、本発明はこれに限らず、例えばテレビジョン放送の受信機能を有さないモニタ等の他の映像表示装置に広く適用することができる。この場合には、この映像表示装置に図３と同様のタイムシフトモジュール部を設け、据置き型のビデオテープレコーダやＤＶカムコーダ等の外部映像機器から与えられる映像情報及び音声情報に基づく映像データ及び音声データを当該タイムシフトモジュール部内のＳＤＲＡＭに順次格納するように当該映像表示装置を構築すれば良い。
【０１２４】
また上述の実施の形態においては、ユーザが視聴しているテレビジョン放送等の現在から数分〜数十分前までの映像音声についてトリックプレイを行い得るようにした場合について述べたが、本発明はこれに限らず、他の映像音声機器によりＤＶ映像データ及びＤＶ音声データが同様に格納された外部メモリ４２がタイムシフトモジュール部４０のスロット４３（図３）に装填された場合に、当該外部メモリ４２に格納されたＤＶ映像データ及びＤＶ音声データを利用して上述のようなトリックプレイを行い得るようにテレビジョン受像機１を構築するようにしても良い。
【０１２５】
さらに上述の実施の形態においては、タイムシフトモジュール部４０内においてユーザ視聴チャンネルのＤＶ映像データＤ１２及びＤＶ音声データＤ１３を順次更新しながら一時記憶する記憶手段としてそれぞれ１２８〔Ｍｂｉｔ〕の記憶容量をもつ８つのＳＤＲＡＭ４１Ａ〜４１Ｈを適用するようにした場合について述べたが、本発明はこれに限らず、各ＳＤＲＡＭ４１Ａ〜４１Ｈの記憶容量は１２８〔Ｍｂｉｔ〕でなくても良く、またＳＤＲＡＭ４１Ａ〜４１Ｈの数も８つ出なくても良く、さらに当該記憶手段としてＳＤＲＡＭ以外の記憶媒体を適用するようにしても良い。
【０１２６】
さらに上述の実施の形態においては、ユーザ視聴チャンネルの映像データＤ１０及び音声データＤ１１をＤＶフォーマットで圧縮してＳＤＲＡＭ４１Ａ〜４１Ｈに一時記憶させるようにした場合について述べたが、本発明はこれに限らず、圧縮フォーマットとしてはこの他ＭＰＥＧ（ＭＰＥＧ１〜ＭＰＥＧ４）フォーマット等の他の圧縮フォーマットを広く適用することができる。
【０１２７】
さらに上述の実施の形態においては、ＤＴＰＣ方式を採用することで外部メモリ４２に格納されたＤＶ映像データＤ１２、Ｄ２０及びＤＶ音声データＤ１３、Ｄ２１の著作権保護を図るようにした場合について述べたが、本発明はこれに限らず、ＤＴＰＣ方式以外の著作権保護のための方式を広く適用することができる。要は、ＳＤＲＡＭ４１Ａ〜４１Ｈに保持されたＤＶ映像データＤ１２、Ｄ２０及びＤＶ音声データＤ１３、Ｄ２１を、所定の著作権保護方式に準拠した通信方式で外部メモリ４２に送信し、及び又は当該著作権保護方式に準拠したフォーマットで外部メモリ４２に書き込むようにすれば良い。
【０１２８】
さらに上述の実施の形態においては、ユーザの所望する映像音声のアーカイブを構築する外部記憶媒体としてメモリ（外部メモリ４２）を適用するようにした場合について述べたが、本発明はこれに限らず、メモリ以外の例えば可搬型のハードディスク等のこの他種々の外部記憶媒体を広く適用することができる。
【０１２９】
この場合において、例えば外部記憶媒体としてハードディスクを適用する場合には、ＤＴＣＰ方式で暗号化されたＤＶ映像データＤ１２、Ｄ２０及びＤＶ音声データＤ１３、Ｄ２１の当該暗号をＩＥＥＥ１３９４インターフェース部５０において一度解除し、トリックプレイに必要な情報を別途記録し、その上でＣ２（Ｃｒｙｐｔｏｍｅｒｉａ  Ｃｉｐｈｅｒ）暗号やトリプルＤＥＳ（Ｄａｔａ  Ｅｎｃｒｙｐｔｉｏｎ  Ｓｔａｎｄａｒｄ）などの方式によりローカル暗号化してハードディスクに記録するようにする。またこのＤＶ映像データＤ１２、Ｄ２０及びＤＶ音声データＤ１３、Ｄ２１の読み出しの際には、ローカル暗号を解除しトリックプレイに適応させたデータストリームを構成してから当該データストリームをＩＥＥＥ１３９４インターフェース部５０においてＤＴＣＰ方式で暗号化してＩＥＥＥ１３９４インターフェース部４７に送信し、当該ＩＥＥＥ１３９４インターフェース部４７においてＤＴＣＰ方式の暗号を解除するようにすれば良い。
【０１３０】
さらに上述の実施の形態においては、外部メモリ４２に関する情報を何らディスプレイ１５に表示しない場合について述べたが、本発明はこれに限らず、例えば外部メモリ４２にＤＶ映像データＤ１２、Ｄ２０及びＤＶ音声データＤ１３、Ｄ２１を書き込む際や、トリックプレイ中に外部メモリ４２の記憶残量や、外部メモリ４２におけるトリックプレイを行っている部位の再生位置等の外部メモリ４２に関する各種情報をディスプレイ１５に表示させるようにしても良い。
【０１３１】
さらに上述の実施の形態においては、映像を表示する表示手段がＣＲＴである場合について述べたが、本発明はこれに限らず、液晶パネルやプラズマディスプレイ等の映像を表示し得るこの他種々の表示手段を広く適用することができる。
【０１３２】
さらに上述の実施の形態においては、タイムシフトモジュール部４０において、ＳＤＲＡＭ４１Ａ〜４１Ｈに一時記憶されたＤＶ映像データＤ１２、Ｄ２０及びＤＶ音声データＤ１３、Ｄ２１を外部メモリ４２に書き込むと共に、これを必要時に読み出す読書き手段を、メモリコントローラ４６、ＩＥＥＥ１３９４インターフェース部４７、ＩＥＥＥ１３９４シリアルバス４８、ＩＥＥＥ１３９４インターフェース部５０、読書き制御部５１及びスロット４３により構成するようにした場合について述べたが、本発明はこれに限らず、この他種々の構成を広く適用することができる。
【０１３３】
さらに上述の実施の形態においては、タイムシフトモジュール部４０のＳＤＲＡＭ４１Ａ〜４１Ｈに一時記憶されたＤＶ映像データＤ１２、Ｄ２０及びＤＶ音声データＤ１３、Ｄ２１を外部メモリ４２に書き込ませるための第１の外部操作が、リモートコントローラ２の「ポーズ」ボタンの押圧操作であり、外部メモリ４２に書き込まれたＤＶ映像データＤ１２、Ｄ２０及びＤＶ音声データＤ１３、Ｄ２１を読み出すための第２の外部操作が、リモートコントローラ２の「早送り」ボタン等の押圧操作である場合について述べたが、本発明はこれに限らず、これら第１及び第２の外部操作として、他の操作を適用するようにしても良い。
【０１３４】
さらに上述の実施の形態においては、外部メモリ４２から読み出されたＤＶ映像データＤ１２、Ｄ２０に基づく映像をディスプレイ１５に表示させる表示制御手段として、このテレビジョン受像機１全体の動作制御を司る制御部４を適用するようにした場合について述べたが、本発明はこれに限らず、当該機能を有する回路ブロックを制御部４と別個に設けるようにしても良い。
【０１３５】
さらに上述の実施の形態においては、ユーザ視聴チャンネル等の映像と、外部メモリ４２から読み出されたＤＶ映像データＤ１２、Ｄ２０に基づく映像とを図２について上述したＰｉｎＰ画面３０という形態で表示するようにした場合について述べたが、本発明はこれに限らず、これらを重ねることなく並べてＰ＆Ｐ（Ｐｉｃｔｕｒｅ  ａｎｄ  Ｐｉｃｔｕｒｅ）表示するようにしても良く、これらの映像の表示形式としてはこの他種々の表示形式を広く適用することができる。
【０１３６】
さらに上述の実施の形態においては、テレビジョン受像機１がリプレイ表示した映像についてトリックプレイとして、「早送り」再生、「早戻し」再生、「コマ送り」再生、「コマ戻し」再生、「スロー再生」、「スロー逆再生」等を行い得るようにした場合について述べたが、本発明はこれに限らず、例えば「２倍速再生」及び「２倍速逆再生」など、これ以外のこの他種々のトリックプレイを行い得るようにしても良い。
【０１３７】
【発明の効果】
上述のように本発明によれば、映像表示装置において、表示手段に表示されている映像の映像データを順次更新しながら一時記憶する記憶手段と、所定の第１の外部操作に応じて、記憶手段に記憶された映像データを所定の外部記憶媒体に書き込むと共に、所定の第２の外部操作に応じて、外部記憶媒体に書き込んだ映像データを読み出す読書き手段と、読書き手段により外部記憶媒体から読み出された映像データに基づく映像を表示手段に表示させる表示制御手段とを設けるようにしたことにより、表示手段に表示される映像の中からユーザの所望するシーン等の映像データを外部記憶媒体に蓄積させることができ、さらにこの蓄積された映像データを当該映像表示装置から外部に持ち出すことができ、かくして機能性を格段的に向上させ得る映像表示装置を実現できる。
【０１３８】
また本発明によれば、映像表示方法において、表示手段に表示されている映像の映像データを順次更新しながら一時記憶する第１のステップと、所定の第１の外部操作に応じて、記憶手段に記憶保持された映像データを所定の外部記憶媒体に書き込む第２のステップと、所定の第２の外部操作に応じて、外部記憶媒体に書き込んだ映像データを読み出す第３のステップと、外部記憶媒体から読み出された映像データに基づく映像を表示手段に表示させる第４のステップとを設けるようにしたことにより、表示手段に表示される映像の中からユーザの所望するシーン等の映像データを外部記憶媒体に蓄積させることができ、さらにこの蓄積された映像データを当該映像表示装置から外部に持ち出すことができ、かくして映像表示装置の機能性を格段的に向上させ得る映像表示方法を実現できる。
【図面の簡単な説明】
【図１】本実施の形態によるテレビジョン受像機の構成を示すブロック図である。
【図２】本実施の形態によるトリックプレイの説明に供する略線図である。
【図３】タイムシフトモジュール部の構成を示すブロック図である。
【図４】トリックプレイ表示処理手順を示すフローチャートである。
【図５】トリックプレイ表示割込み処理手順を示すフローチャートである。
【図６】トリックプレイ表示割込み処理手順を示すフローチャートである。
【符号の説明】
１……テレビジョン受像機、２……リモートコントローラ、４……制御部、１２……信号処理回路、１５……ディスプレイ、１７……オーディオデコーダ回路、３０……ＰｉｎＰ画面、３１……親画面、３２……子画面、４０……タイムシフトモジュール部、４１Ａ〜４１Ｈ……ＳＤＲＡＭ、４２……外部メモリ、４５……ＤＶコーディク部、４６……メモリコントローラ、４７、５０……ＩＥＥＥ１３９４インターフェース部、４８……ＩＥＥＥ１３９４シリアルバス、５２Ａ、５２Ｂ……外部入力端子、Ｓ２……入力受信信号、Ｄ４、Ｄ８、Ｄ１０、Ｄ１４……映像データ、Ｄ２、Ｄ１１、Ｄ９……音声データ、Ｄ１２、Ｄ２０……ＤＶ映像データ、Ｄ１３、Ｄ２１……ＤＶ音声データ。
【図１】
2004320215.tif 000003
【図２】
2004320215.tif 000004
【図３】
2004320215.tif 000005
【図４】
2004320215.tif 000006
【図５】
2004320215.tif 000007
【図６】
2004320215.tif 000008